(57)【要約】      （修正有）【課題】前身頃の前部合わせ部相互を開閉可能となすドレスシャツ、Ｙシャツ、半袖シャツ等のシャツに関し、シャツ本体の裏面にメッシュ材を縫着させて個別に膚着を不用として着用でき、着用時の違和感と着崩れがなく、保形性、および耐久性にも優れたシャツを提供する。【解決手段】シャツ本体１の裏面を覆うメッシュ材７が、左前身頃２の一方端２Ａと、左前身頃の他方端２Ｂおよび後身頃の一方端３Ａと、右前身頃２′の一方端２′Ａおよび後身頃の他方端３Ｂと、右前身頃２′の他方端２′Ｂとに縫着され、メッシュ材が、左前身頃と、右前身頃の肩部１１，１１と、後身頃の上縁部３Ｃと、肩ヨーク５の前外縁部５ａ、後外縁部に縫着され、メッシュ材が、左前身頃の上縁部２Ｃ、肩ヨーク５の上縁部５ｃ、右前身頃の上縁部２′Ｃ、衿部４と、に縫着され、メッシュ材が、長軸６，６または半袖の袖ぐり１２,１２に縫着されている。【選択図】図１
0003160181.tif 000002
【実用新案登録請求の範囲】
【請求項１】
後身頃、前記後身頃の左右に開閉可能に連設される左前身頃および右前身頃、首周りに設けられる衿部、前記衿部と前記後身頃との間に設けられる肩ヨーク、および前記肩ヨークの左右の肩口に取付けられる長袖または半袖、を有するシャツ本体と、前記シャツ本体の裏面を覆うメッシュ材と、により構成されるシャツにおいて、
（イ）前記メッシュ材が、前記左前身頃の一方端と、前記左前身頃の他方端および前記後前身頃の一方端と、前記右前身頃の一方端および前記後前身頃の他方端と、前記右前身頃の他方端と、にそれぞれ縫着され、
（ロ）前記メッシュ材が、前記左前身頃および前記右前身頃における肩部と、前記後身頃における上縁部と、前記肩ヨークにおける前外縁部および後外縁部とにそれぞれ縫着され、
（ハ）前記メッシュ材が、前記左前身頃の上縁部、前記肩ヨークの上縁部、前記右前身頃の上縁部および前記衿部とにそれぞれ縫着され、そして、
（ニ）前記メッシュ材が、前記長袖または前記半袖の袖ぐりに縫着されている
ことを特徴とするシャツ。
【請求項２】
前記メッシュ材が、前開きの半袖シャツ型に形成されているか、または袖無しに形成されていることを特徴とする請求項１に記載のシャツ。
【請求項３】
前記メッシュ材が、前記左前身頃の他方端と前記後身頃の一方端、並びに前記右前身頃の一方端と前記後身頃の他方端とを挟んだ状態でインターロック縫いされていることを特徴とする請求項１または２に記載のシャツ。
【請求項４】
前記メッシュ材が、前記左前身頃における前部合わせ部の先端部に内包される芯地材の裏面に設けられた間隙内に、差し込まれた状態で縫着されていることを特徴とする請求項１−３の何れか１項に記載のシャツ。
【請求項５】
前記芯地材が、釦または雄スナップよりなる係止具を取付可能となす前記前部合わせ部の先端縁を内方へ折返した部分に内包されていることを特徴とする請求項４項に記載のシャツ。
【請求項６】
前記メッシュ材が、前記右前身頃における前部合わせ部に縫着されていることを特徴とする請求項１−５の何れか１項に記載のシャツ。
【請求項７】
前記メッシュ材が、前記前部合わせ部の前面に縫着された縦長の前立部材に縫着されていることを特徴とする請求項６に記載のシャツ。
【請求項８】
前記メッシュ材が、前記左前身頃および前記右前身頃の衿側面から肩口に到る外縁部と、前記後身頃の上縁部と、前記肩ヨークの外縁部と、に重ね合わされた状態でステッチ縫い、またはロック縫いされていることを特徴とする請求項１−７の何れか１項に記載のシャツ。
【請求項９】
前記メッシュ材が、台衿部の表地、および裏地の間に、芯地材を介装して前記肩ヨークの上縁部と、前記左前身頃の上縁部と、前記右前身頃の上縁部とを差し込んで縫着されていることを特徴とする請求項１−８の何れか１項に記載のシャツ。
【請求項１０】
前記メッシュ材が、前記シャツ本体の前記肩ヨーク、前記左前身頃、前記右前身頃、前記後身頃により構成される袖ぐりの全周にインターロック縫いにて縫着されるとともに、脇の下から軸方向の先端部まで前記シャツ本体の袖にインターロック縫いにより半袖状に
縫着されていることを特徴とする請求項１−９の何れか１項に記載のシャツ。
【考案の詳細な説明】
【技術分野】
【０００１】
本考案は左前身頃および右前身頃の前部合わせ部相互を開閉可能となすドレスシャツ、Ｙシャツ、半袖シャツ等のシャツに関し、さらに詳しくは、シャツ本体の裏面にメッシュ材を縫着させて個別に膚着を不用として着用でき、着用時の違和感と着崩れがなく、保形性、および耐久性にも優れたシャツに関する。
【背景技術】
【０００２】
従来、例えばウェア本体と、ウェア本体の内側に配置されたインナーとを備えている上半身用衣服が提案されている。この上半身用衣服は、インナーとウェア本体の肩部同士、および襟ぐり同士を一体化されており、インナーは、インナー本体と、インナー本体の前身頃に一体化された第１負荷片および第２負荷片とを備えており、これら第１負荷片および第２負荷片は、インナー本体の素材生地に比べて低伸縮かつ高弾力のメッシュ生地で形成されており、第１負荷片は、アンダーバスト部分の高さを左右に横断する横長の基部と、該基部の長手方向中央部から上方に連出され、着用者の乳房部の間に圧接する縦長の連出部とからなる逆Ｔ字状を呈しており、基部の左右端部は、前身頃の左右脇縁に至り、連出部の上端部は、前身頃の襟ぐりの中央部に到っており、第２負荷片は、前身頃の左右の袖ぐりに沿って配置され、各第２負荷片の上端部は、前身頃の肩部周縁に到り、各第２負荷片の下端部は、前身頃の左右脇縁に至って基部の左右端部に重なっている構成により、負荷片により短時間での運動機能を高揚し、また、着用時のシルエットを自然にするものである（例えば、特許文献１参照）。
【特許文献１】実用新案登録第３１４３２１１号公報
【考案の開示】
【考案が解決しようとする課題】
【０００３】
ところで、上記特許文献１に記載の上半身用衣服は、ウェア本体の内側にインナーを備えているが、この上半身用衣服は、運動にあてる時間が捻出できないサラリーマンやＯＬが、着用することにより、インナーのインナー本体の素材生地に設けられたメッシュ生地よりなる低伸縮の負荷片により、短時間での運動機能を高めるのを意図することを目的とするものである。そして、上記特許文献１に記載の上半身用衣服は、ウェア本体の裏面にインナーを肩部同士、および袖ぐり同士との２個所にて縫着させる構成により一体にさせるものであり、運動機能を高めるのを意図してなされたものであるため、引用文献１に示された上半身用衣服のウェア本体とインナーとの縫着構造では、そのまま外着として着用しても、その着心地に違和感を覚え、着心地が悪いものであった。しかも、インナーは装着者の体に密着してフィット性が発揮されるというが、膚着として着用するのには、着心地が悪くフィット性も充分であるとは言えなかった。
【０００４】
また、上記特許文献１に記載の上半身用衣服は、ウェア本体の裏面にインナーを肩部同士、および袖ぐり同士を縫着させるという２個所にて縫着されることにより一体にされるので、シャツ本体のインナーに対する移動量が大きく、着用時に、形崩れを生じ易く、保形性を損なうという問題があった。しかも、特許文献１に記載の上記上半身用衣服は、ウェア本体の裏面に設けられたインナーをそのまま膚着として適用するには、インナー本体の素材生地は、吸湿性、速乾性、保温性に欠け、問題があった。
【０００５】
そこで、本考案は、シャツ本体と、そのシャツ本体の裏面に縫着されるメッシュ材との縫着に工夫を凝らすことにより、着用時の着心地に違和感を覚えることなく着心地が良く着用が行えることを見い出し、本考案をなしたものである。
【０００６】
即ち、本考案は上記従来の問題点を解決するとともにシャツ本体の裏面に縫着されるメッシュ材をシャツ本体と一体に着込むことにより、着用時に違和感がなく着心地が良く着用が行え、また、フィット性に優れ、しかも、メッシュ材は吸湿性、速乾性、保温性に優れ、肌着として最適であり、そして、メッシュ材が着用時、または洗濯時に形崩れがなく、保形性に優れ、さらには、構造的にも堅牢なシャツを提供することを目的とする。
【課題を解決するための手段】
【０００７】
本考案は上記課題に鑑みてなされ請求項１に記載の考案は、後身頃、前記後身頃の左右に開閉可能に連設される左前身頃および右前身頃、首周りに設けられる衿部、前記衿部と前記後身頃との間に設けられる肩ヨーク、および前記肩ヨークの左右の肩口に取付けられる長袖または半袖、を有するシャツ本体と、前記シャツ本体の裏面を覆うメッシュ材と、により構成されるシャツにおいて、
（イ）前記メッシュ材が、前記左前身頃の一方端と、前記左前身頃の他方端および前記後身頃の一方端と、前記右前身頃の一方端および前記後身頃の他方端と、前記右前身頃の他方端と、にそれぞれ縫着され、
（ロ）前記メッシュ材が、前記左前身頃および前記右前身頃における肩部と、前記後身頃における上縁部と、前記肩ヨークにおける前外縁部および後外縁部とにそれぞれ縫着され、
（ハ）前記メッシュ材が、前記左前身頃の上縁部、前記肩ヨークの上縁部、前記右前身頃の上縁部および前記衿部と、にそれぞれ縫着され、そして、
（ニ）前記メッシュ材が、前記長袖または前記半袖の袖ぐりに縫着されている
ことを特徴とする。
【０００８】
また、本考案の請求項２に記載の考案は、請求項１において、前記メッシュ材が、前開きの半袖シャツ型に形成されているか、または袖無しに形成されていることを特徴とする。
【０００９】
また、本考案の請求項３に記載の考案は、請求項１または２において、前記メッシュ材が、前記左前身頃の他方端と前記後身頃の一方端、並びに前記右前身頃の一方端と前記後身頃の他方端とを挟んだ状態でインターロック縫いされていることを特徴とする。
【００１０】
また、本考案の請求項４に記載の考案は、請求項１−３の何れか１項において、前記メッシュ材が、前記左前身頃における前部合わせ部の先端部に内包される芯地材の裏面に設けられた間隙内に、差し込まれた状態で縫着されていることを特徴とする。
【００１１】
また、本考案の請求項５に記載の考案は、請求項４において、前記芯地材が、釦または雄スナップにおける係止具を取付可能となす前記前部合わせ部の先端縁を内方へ折返した部分に内包されていることを特徴とする。
【００１２】
また、本考案の請求項６に記載の考案は、請求項１−５の何れか１項において、前記メッシュ材が、前記右前身頃における前部合わせ部に縫着されていることを特徴とする。
【００１３】
また、本考案の請求項７に記載の考案は、請求項６項において、メッシュ材が、前記前部合わせ部の前面に縫着された縦長の前立部材に縫着されていることを特徴とする。
【００１４】
また、本考案の請求項８に記載の考案は、請求項１−７において、前記メッシュ材が、前記左前身頃および前記右前身頃の衿側面から肩口に到る外縁部と、前記後身頃の上縁部と、前記肩ヨークの外縁部と、に重ね合わされた状態でステッチ縫い、またはロック縫いされていることを特徴とする。
【００１５】
また、本考案の請求項９に記載の考案は、請求項１−８において、前記メッシュ材が、台衿部の表地および裏地の間に、芯地材を介装して前記肩ヨークの上縁部と、前記左前身頃の上縁部と、前記右前身頃の上縁部とを差し込んで縫着されていることを特徴とする。
【００１６】
また、本考案の請求項１０に記載の考案は、請求項１−９において、前記メッシュ材が、前記シャツ本体の前記肩ヨーク、前記左前身頃、前記右前身頃、前記後身頃により構成される袖ぐりの全周にインターロック縫いにて縫着されるとともに、脇の下から軸方向の先端部まで前記シャツ本体の袖にインターロック縫いにより半袖状に縫着されていることを特徴とする。
【考案の効果】
【００１７】
本考案は上記課題に鑑みてなされ、請求項１に記載の考案によれば、後身頃、前記後身頃の左右に開閉可能に連設される左前身頃および右前身頃、首周りに設けられる衿部、前記衿部と前記後身頃との間に設けられる肩ヨーク、および前記肩ヨークの左右の肩口に取付けられる長袖または半袖、を有するシャツ本体と、前記シャツ本体の裏面を覆うメッシュ材と、により構成されるシャツにおいて、前記メッシュ材が、前記左前身頃の一方端と、前記左前身頃の他方端および前記後身頃の一方端と、前記右前身頃の一方端および前記後身頃の他方端と、前記右前身頃の他方端と、にそれぞれ縫着され、前記メッシュ材が、前記左前身頃および前記右前身頃における肩部と、前記後身頃における上縁部と、前記肩ヨークにおける前外縁部および後外縁部とにそれぞれ縫着され、前記メッシュ材が、前記左前身頃の上縁部、前記肩ヨークの上縁部、前記右前身頃の上縁部および前記衿部と、にそれぞれ縫着され、そして、前記メッシュ材が、前記長袖または前記半袖の袖ぐりに縫着されているので、前記メッシュ材が、左前身頃の一方端と、左前身頃の他方端、および後身頃の一方端と、右前身頃の一方端および後身頃の他方端と、右前身頃の他方端と、にそれぞれ縫着され、また、前記メッシュ材が、左前身頃および右前身頃における肩部と、後身頃における上縁部と、肩ヨークにおける前外縁部および後外縁部とにそれぞれ縫着され、メッシュ材が、左前身頃の上縁部、肩ヨークの上縁部、右前身頃の上縁部、および衿部とに、それぞれ縫着され、そして、前記メッシュ材が、前記長袖または前記半袖の袖ぐりに縫着されていることにより、メッシュ材は、合計８個所においてシャツの各部材相互に縫着されるため、シャツは着用時の着心地に違和感がなく、フィット性に優れる。また、このように、シャツ本体の裏面に縫着されるメッシュ材は、シャツ本体と一体に着込まれると、メッシュ材は吸湿性、速乾性、保温性が発揮され、膚着として適正な使用が行える。さらには、シャツ本体はメッシュ材の裏面に、前述のように、合計８個所においてシャツの各部材相互が縫着されるので、シャツ本体の着用時、または洗濯時に、シャツ本体、およびメッシュ材は、形崩れがなく、保形性に優れ、構造的にも堅牢になる。
【００１８】
また、本考案の請求項２に記載の考案によれば、請求項１において、前記メッシュ材が、前開きの半袖シャツ型に形成されているか、または袖無しに形成されているので、シャツ本体がドレスシャツ、Ｙシャツのような長袖の場合に、シャツ本体の裏面に縫着されているメッシュ材を膚着として一緒に着用したり、脱衣することが容易にできる。また、シャツ本体が半袖シャツの場合に、シャツ本体の裏面に縫着されている半袖または袖無しのメッシュ材を膚着として一緒に着用したり、脱衣することが容易にできる。そして、メッシュ材は、汗の吸水性、速乾性に優れて爽快に着用ができ、保温性は良好であり、膚着として適正に使用が行える。さらに、シャツ本体の裏面にメッシュ材は、左前身頃および右前身頃と、後身頃とに縫着されるのと、また、メッシュ材が、左前身頃および右前身頃の肩部、および後身頃の上縁部は肩ヨークの前外縁部および後外縁部に縫着されるのと、メッシュ材が、左前身頃および右前身頃の上縁部、および肩ヨークの上縁部と一緒に衿部に縫着されるのと、メッシュ材が、長袖または半袖の袖ぐりに縫着されるのとの、合計８個所においてシャツの各部材相互が縫着されるため、着用時、または洗濯時に形崩れがなく、保形性に優れ、構造も堅牢になる。
【００１９】
また、本考案の請求項３に記載の考案によれば、請求項１または２において、前記メッシュ材が、前記左前身頃の他方端と前記後身頃の一方端、並びに前記右前身頃の一方端と前記後身頃の他方端とを挟んだ状態でインターロック縫いされているので、メッシュ材は、左前身頃および右前身頃と、後身頃とにインターロック縫いにより容易且つ構造堅牢に縫着され、シャツ本体の裏面がメッシュ材により覆われたシャツを効率的に製作することができる。また、左前身頃および右前身頃と、後身頃とにメッシュ材をインターロック縫いすることにより、シャツ本体の裏面にメッシュ材を構造堅牢に取付けることができるので、着用時、または洗濯時にシャツ本体に対してメッシュ材が不用意に大きな移動量により移動することなく、形崩れがなくなり、保形性に優れ、構造も堅牢になる。
【００２０】
また、本考案の請求項４に記載の考案によれば、請求項１−３の何れかにおいて、前記メッシュ材が、前記左前身頃における前部合わせ部の先端部に内包される芯地材の裏面に設けられた間隙内に、差し込まれた状態で縫着されているので、左前身頃における前部合わせ部を芯部材により変形や形崩れが少なく、構造堅牢に製作でき、シャツ本体の裏面がメッシュ材により覆われたシャツを効率的に製作することができる。
【００２１】
また、本考案の請求項５に記載の考案によれば、請求項４において、前記芯地材が、釦または雄スナップよりなる係止具を取付可能となす前記前部合わせ部の先端縁を内方へ折返した部分に内包されているので、釦、または雄スナップの係止具を取付可能となす左前身頃における前部合わせ部は、その先端縁を内方へ折返して内包された芯地材により、構造堅牢にできる。
【００２２】
また、本考案の請求項６に記載の考案によれば、請求項１−５の何れか１項において、
前記メッシュ材が、前記右前身頃における前部合わせ部に縫着されているので、右前身頃における前部合わせ部に縫着されているメッシュ材は形崩れがなく、保形性が維持され、構造堅牢に取付けられる。
【００２３】
また、本考案の請求項７に記載の考案によれば、請求項６において、前記メッシュ材が、前記前部合わせ部の前面に縫着された縦長の前立部材に縫着されているので、メッシュ材は右前身頃の前部合わせ部に縫着されるとともに、右前身頃の前面に縫着される縦長の前立部材に縫着されることにより、形崩れがなく、構造堅牢に取付けられる。
【００２４】
また、本考案の請求項８に記載の考案によれば、請求項１−７において、前記メッシュ材が、前記左前身頃および前記右前身頃の衿側面から肩口に到る外縁部と、前記後身頃の上縁部と、前記肩ヨークの外縁部と、に重ね合わされた状態でステッチ縫い、またはロック縫いされているので、肩ヨークに左前身頃および右前身頃の衿側面から肩口に到る外縁部、および後身頃の上縁部をメッシュ材と一緒に容易かつ確実に縫着することができ、以てシャツ本体の裏面がメッシュ材により覆われたシャツを生産効率高く生産ができる。また、肩ヨークに前身頃の衿側面から肩口に到る外縁部、および後身頃の上縁部をメッシュ材と一緒に構造堅牢に取付けることができるため、着用時、または洗濯時に形崩れがなく、保形性に優れ、構造も堅牢になる。
【００２５】
また、本考案の請求項９に記載の考案によれば、請求項１−８において、前記メッシュ材が、台衿部の表地および裏地の間に芯地材を介装して前記肩ヨークの上縁部と、前記前身頃の上縁部と、前記右前身頃の上縁部とを差し込んで縫着されているので、以てシャツ本体の裏面がメッシュ材により覆われたシャツを生産効率高く生産ができる。また、台衿部の表地、および裏地の間に芯地材を介装し、この表地、および裏地の各外縁部相互を内側に折り返した間に、肩ヨークの上縁部と、左前身頃および右前身頃の上縁部と一緒にメッシュ材を差し込んで容易かつ確実に縫着できるため、シャツは、着用時、または洗濯時に形崩れがなく、保形性に優れ、構造も堅牢になる。
【００２６】
また、本考案の請求項１０に記載の考案によれば、請求項１−９において、前記メッシュ材が、前記シャツ本体の前記肩ヨーク、前記左前身頃、前記右前身頃、前記後身頃により構成される袖ぐりの全周にインターロック縫いにより半袖状に縫着されているとともに、脇の下から軸方向の先端部まで前記シャツ本体の袖にインターロック縫いにより縫着されているので、メッシュ材の半袖を肩ヨーク、前記左前身頃、前記右前身頃、後身頃により構成される肩口での袖ぐりの全周にインターロック縫いして容易かつ確実に袖を縫着することができる。そして、シャツ本体がドレスシャツ、Ｙシャツのような長袖の場合に、シャツ本体の裏面に縫着されているメッシュ材よりなる袖は、膚着としてシャツと一緒に容易かつ確実に着用したり、脱衣することができる。そして、シャツ本体の裏面に覆われたメッシュ材よりなる袖は、汗の吸水性、速乾性に優れて爽快に着用ができ、保温性は良好であるので、メッシュ材を膚着の袖として適正に使用が行える。さらには、シャツ本体の裏面にメッシュ材よりなる袖を縫着して一体に取り付けられるため、着用時、または洗濯時に形崩れがなく、保形性に優れ、構造的にも堅牢になる。
【図面の簡単な説明】
【００２７】
【図１】図１は本考案のシャツの実施形態１を示す一部切欠正面図である。
【図２】図２は同じくシャツの一部欠背面図である。
【図３】図３は同じく本実施形態１を構成する前身頃、後身頃に対するメッシュ材の縫着状態を示す拡大横断面図である。
【図４】図４は同じく本実施形態１を構成する肩ヨーク、前身頃、後身頃の縫着状態を示す拡大横断面図である。
【図５】図５は同じく本実施形態１を構成する衿、肩ヨークの縫着状態を説明的に示す拡大正面図である。
【図６】図６は同じく本実施形態１を構成する左右の前身頃の前部合わせ部の縫着状態を示す拡大横断面図である。
【図７】図７は同じく本実施形態１を構成するメッシュ材の下縁部をオーバロック縫いを行って端部処理した正面図である。
【図８】図８は本考案のシャツの実施形態２を示す一部切欠正面図である。
【図９】図９は同じくシャツの一部欠背面図である。
【考案を実施するための形態】
【００２８】
以下、図面に従って本考案を実施するための最良の形態につき、詳細に説明する。
【００２９】
＜実施形態１＞
本実施形態１は、後身頃３、前記後身頃３の左右に開閉可能に連設される左前身頃２および右前身頃２′、首周りに設けられる衿部４、前記衿部４と前記後身頃３との間に設けられる肩ヨーク５、および前記肩ヨーク５の左右の肩口に取付けられる長袖６,６または半袖、を有するシャツ本体１と、前記シャツ本体１の裏面を覆うメッシュ材７と、により構成されるシャツＡである。
【００３０】
前記シャツＡは、全体が首から胸、下腹部に到る着丈Ｌをなし、前記左前身頃２および右前身頃２′におけるそれぞれの前部合わせ部８Ａ,８′Ａが釦９Ａと釦孔９Ｂ、または雄雌のスナップ（図には示さず）よりなる係止具１０により係脱可能に開閉される、図示するような例えばドレスシャツ、Ｙシャツである。
【００３１】
そして、前記メッシュ材７が、前記左前身頃２の一方端２Ａと、前記左前身頃２の他方端２Ｂおよび前記後身頃３の一方端３Ａと、前記右前身頃２′の一方端２′Ａおよび前記後身頃３の他方端３Ｂと、前記右前身頃２′の他方端２′Ｂとにそれぞれ縫着される。また、前記メッシュ材７が、左前身頃２および前記右前身頃２′における肩部１１,１１と、前記後身頃３における上縁部３Ｃと、前記肩ヨーク５における前外縁部５ａおよび後外縁部５ｂにそれぞれ縫着され、また、前記メッシュ材７が、前記左前身頃２の上縁部２Ｃ、前記肩ヨーク５の上縁部５ｃ、前記右前身頃２′の上縁部２′Ｃ、および前記衿部４と、にそれぞれ縫着され、そして、前記メッシュ材７が、前記長軸６,６または前記半袖の袖ぐり１２,１２に縫着されている。
【００３２】
また、前記シャツ本体１は、外形が例えば前述のように、釦９Ａと釦孔９Ｂ、また、図には示さない雄雌のスナップのような係止具１０を用いて左前身頃２、および右前身頃２′の前部合わせ部８Ａ,８′Ａ相互を開閉可能となすドレスシャツ、Ｙシャツに形成される。そして、このシャツ本体１は、例えばポリエステル、ポリエチレンのような合成樹脂繊維糸、或いは綿糸、またはこれら合成樹脂繊維糸と、綿糸との混合により形成される。また、前記メッシュ材７は、ポリエステルのような合成樹脂繊維により形成される。また、前記シャツ本体１は、適宜図柄、適宜色彩を付すことにより形成される。また、前記メッシュ材７も、シャツ本体１の用途に合わせて、シャツ本体１と調和し、マッチする適宜図柄、適宜色彩を付すことができる。
【００３３】
前記メッシュ材７が、図１、および図２に示すように本実施形態１では前開きの半袖シャツ型に成されている（図１、および図２において外形の大部分を破線で表わしている）が、図には示さないが、メッシュ材７は例えば袖無しに形成されているものでもよい。
【００３４】
また、メッシュ材７の袖１３,１３は、図示では前記シャツ本体１の前記肩ヨーク５、前記左前身頃２、前記右前身頃２′、前記後身頃３により構成される袖ぐり１２,１２の全周にインターロック縫いにて縫着されるとともに、脇の下から軸方向Ｉの先端部まで前記シャツ本体１の袖、本実施形態では長袖６,６にインターロック縫いにより半袖状に形成されている。
【００３５】
前記メッシュ材７が、例えば図３に示すように、前記左前身頃２の他方端２Ｂと前記後身頃３の一方端３Ａ、並びに前記右前身頃２′の一方端２′Ａと前記後前身頃３の他方端３Ｂとを外縁部７Ａ,７Ａで挟んだ状態でインターロック縫いされている。
【００３６】
そして、例えば図４に示すように、前記メッシュ材７が、前記左前身頃２および右前身頃２′の衿側面から肩口に到る外縁部と、肩部１１,１１、および前記後身頃３の上縁部３Ｃと、肩ヨーク５の前外縁部５ａ,５ａおよび後外縁部５ｂとに、重ね合わされた状態でステッチ縫い、またはロック縫いされている。
【００３７】
前記メッシュ材７が、例えば図１，および図５において、台衿部１４の表地１５、および裏地１６の各外縁部１５Ａ,１６Ａ相互を内側に対向して折り返した間に、前記肩ヨーク５の上縁部５ｃ,５ｃ、および左右の前記前身頃２,２′の上縁部２Ｃ,２′Ｃと一緒にメッシュ材７の上縁部７Ａを差し込んで縫着する。
【００３８】
また、図１，図６において、前記メッシュ材７が、前記左前身頃２における一方の前部合わせ部８Ａの先端部に内包される芯地材１８の裏面に設けられた間隙Ｐ１内に、差し込まれた状態で縫着されている。そして、前記芯地材１８が、釦９Ａ、または雄スナップ（図には示さず）よりなる係止具１０を取付可能となす前記前部合わせ部８Ａの先端縁Ｓ１を内方へ折り返した部分に内包されている。このように、芯地材１８を前記前部合わせ部８Ａの先端縁Ｓ１を内方へ折り返した部分に内包したのは、芯地材１８による保形性により、前部合わせ部８Ａの形崩れを防止するためである。
【００３９】
また、メッシュ材７が、釦孔９Ｂ、または雌スナップ（図には示さず）よりなる係止具１０を装着可能となす他方の前部合わせ部８′Ａにおける前身頃２′に縫着されている。この時、メッシュ材７は、前記右前身頃２′の先端側を折り返した部分の折り返し端Ｓ２と一緒に折り返される。しかも、前記メッシュ材７が、芯地材２０が内包されて前記前部合わせ部８′Ａの前面に縫着された縦長の前立部材２１に縫着されている。前記芯地材２０は、一端縁１９Ａ、および他端縁１９Ｂを内方へ折返して前記前立部材２１に内包される。このように、芯地材２０を前記前部合わせ部８′Ａの先端縁Ｓ２を内方へ折り返した部分に設けたのは、芯地材２０による保形性により、前部合わせ部８′Ａの形崩れを防止するためである。
【００４０】
なお、図１，および図２、図７において、７Ｃは前記メッシュ材７の下縁に縫着処理された裾オーバーロック処理部であり、この裾オーバーロック処理部７Ｃを設けたのはメッシュ材７の裾部の解れを防止するためである。
【００４１】
本実施形態１のシャツは、上述のように、後身頃３、前記後身頃３の左右に開閉可能に連設される左前身頃２および右前身頃２′、首周りに設けられる衿部４、前記衿部４と前記後身頃３との間に設けられる肩ヨーク５、前記肩ヨーク５の左右の肩口に取付けられる長袖６,６または半袖を有するシャツ本体１と、前記シャツ本体１の裏面を覆うメッシュ材７とにより構成される例えばドレスシャツ、Ｙシャツである。そして、前記メッシュ材７が、左前身頃２の一方端２Ａと、左前身頃２の他方端２Ｂおよび後身頃３の一方端３Ａと、右前身頃２′の一方端２′Ａおよび後身頃３の他方端３Ｂと、右前身頃２′の他方端２′Ｂとにそれぞれ縫着され、また、メッシュ材７が、左前身頃２および右前身頃２′における肩部１１,１１と、後身頃３における上縁部３Ｃと、肩ヨーク５,５における前外縁部５ａおよび後縁部５ｂとにそれぞれ縫着され、また、メッシュ材７が、左前身頃２の上縁部２Ｃ、肩ヨーク５の上縁部５ｃ、右前身頃２′の上縁部２′Ｃ、および衿部４と、にそれぞれ縫着され、そして、メッシュ材７が、長軸６,６または半袖の袖ぐり１２,１２に縫着されているという８個所で縫着されている構成であるので、装着者が本実施形態１のシャツを装着したり、または、脱衣するのには、メッシュ材７の半袖と、このメッシュ材７が裏に縫着されているシャツ本体１の長袖６,６とに腕を挿脱操作することにより、シャツ本体１を、その裏面に覆われたメッシュ材７と一緒に容易かつ確実に羽織ったり、または脱いだりすることができる。そして、シャツ本体１の左前身頃２および右前身頃２′の前部合わせ部８Ａ,８′Ａに設けられた釦９Ａと釦孔９Ｂ、または図には示さない雄スナップと雌スナップのような係止具１０を係脱操作することにより、シャツ本体１をメッシュ材７と一緒に装着したり、または脱衣する。そして、シャツ本体１の下方をズボンやスカート内に挿入すれば、きちんと整然とした格好にシャツ本体１を着付けられるので、シャツ本体１は職場や公式の場所での装着に適する装いになる。
【００４２】
そして、シャツ本体１の裏面を覆うように縫着されたメッシュ材７は、前述のように８個所にてシャツ本体１に縫着されているので、着用時の着心地に違和感がなく、フィット性に優れる。また、シャツ本体１の裏面に縫着されるメッシュ材７をシャツ本体１と一体に着込むことにより、汗をかいた場合に吸水性、速乾性に優れ、夏期においても膚着としてムレやベタつきがなく爽快に着用が行え、しかも、保温性は良好であるので、従来のＹシャツのようにシャツとは個別に膚着を着込まなくても、メッシュ材７は膚着として適正に着用が行うことができる。
【００４３】
この際、メッシュ材７の左右の袖１３,１３は、シャツ本体１の前記肩ヨーク５、前記左前身頃２および右前身頃２′、前記後身頃３により構成される袖ぐり１２,１２の全周にインターロック縫いにて縫着されるとともに、袖１３,１３は脇の下から軸方向Ｉの先端部まで前記シャツ本体１の長袖６,６にインターロック縫いされることにより縫着された半袖状に形成されているので、シャツ本体１がドレスシャツ、Ｙシャツのような長袖６,６の場合に、不用意にシャツ本体１の内部で大きな移動量により移動されることがなくなり、メッシュ材７の袖１３,１３に腕が引掛かることなしに、円滑かつ迅速に長袖６,６に腕を通すことができるため、メッシュ材７を膚着として、シャツ本体１と一緒に容易かつ円滑に着用したり、脱衣することができる。
【００４４】
また、本実施形態１のシャツでは、シャツ本体１と、該シャツ本体１の裏面を覆うメッシュ材７とは、前述のように８個所にて縫着されるので、シャツは構造堅牢な仕上がりになり、シャツ本体１内においてメッシュ材７が不用意に遊離して大きな移動量により移動されることはなく、着用時、または洗濯時にシャツ本体１およびメッシュ材７の双方ともに形崩れがなく、保形性が維持される。そして、構造堅牢になり、乾燥したり、折り畳んで収納する場合にも、管理が容易である。
【００４５】
すなわち、本実施形態１のシャツでは、メッシュ材７が、シャツ本体１の左前身頃２の一方端２Ａと、左前身頃２の他方端２Ｂおよび後身頃３の一方端３Ａと、右前身頃２′の一方端２′Ａおよび後身頃３の他方端３Ｂと、右前身頃２′の他方端２′Ｂとにそれぞれ縫着され、また、メッシュ材７が、左前身頃２および右前身頃２′における肩部１１,１１と、後身頃３における上縁部３Ｃと、肩ヨーク５における前外縁部５ａおよび後外縁部５ｂとにそれぞれ縫着され、また、メッシュ材７が、左前身頃２の上縁部２Ｃ、肩ヨーク５の上縁部５ｃ、右前身頃２′の上縁部２′Ｃ、および衿部４と、にそれぞれ縫着され、そして、メッシュ材７が、長軸６,６または半袖の袖ぐり１２,１２に縫着されているという、８個所にて縫着されるため、着用時、または洗濯時にシャツ本体１に対してメッシュ材７が大きな移動量により移動することがなくなり、着用時または洗濯時に形崩れがなく、保形性に優れ、構造も堅牢である。
【００４６】
そして、図３に示すように、メッシュ材７が、前記左前身頃２の他方端２Ｂと前記後身頃３の一方端３Ａ、並びに前記右前身頃２′の一方端２′Ａと前記後前身頃３の他方端３Ｂとを挟んだ状態でインターロック縫いされているので、シャツ本体１の左前身頃２および右前身頃２′、および後身頃３に対してシャツ本体１の裏面にメッシュ材７を一緒にインターロック縫いすることにより容易且生産効率良く縫着することができる。しかも、シャツ本体１の裏面にメッシュ材７を構造堅牢に取付けることができ、着用時、または洗濯時に、シャツ本体１に対するメッシュ材７の移動量が小さく、形崩れがなくなり、保形性に優れる。
【００４７】
また、メッシュ材７が、例えば図４に示すように、前記左前身頃２および右前身頃２′の衿側面から肩口に到る外縁部と、肩部１１,１１、および前記後身頃３の上縁部３Ｃと、肩ヨーク５の前後の前外縁部５ａ,５ａおよび後外縁部５ｂとに、重ね合わされた状態でステッチ縫い、またはロック縫いされているので、シャツ本体１の左前身頃２、および右前身頃２′および後身頃３と、肩ヨーク５と、メッシュ材７とを一緒にステッチ縫い、またはロック縫いにより縫着することができる。また、シャツ本体１の裏にメッシュ材７を構造堅牢に且つ生産効率が良く製作することができ、しかも、着用時、または洗濯時にシャツ本体１に対するメッシュ材７の移動量が小さく、形崩れがなく、保形性に優れ、構造も堅牢になる。
【００４８】
また、メッシュ材７が、例えば図５、および図６に示すように、台衿部１４の表地１５、および裏地１６の各外縁部１５Ａ,１６Ａ相互を内側に対向して折り返した間に、前記肩ヨーク５の上縁部５ｃ,５ｃ、および左右の前記前身頃２,２′の上縁部２Ｃ,２′Ｃと一緒にメッシュ材７の上縁部７Ａを差し込んで縫着されるので、シャツ本体１の衿部４の台衿部１４と、肩ヨーク５と、左前身頃２、および右前身頃２′の上縁部２Ｃ,２′Ｃと、メッシュ材７の上縁部７Ａとを一緒に縫着できる。そして、シャツ本体１の裏面にメッシュ材７を縫着したシャツを効率的に製作することができ、着用時、または洗濯時にシャツ本体１に対するメッシュ材７の移動量が小さく、形崩れがなく、保形性に優れ、構造も堅牢になる。
【００４９】
そして、シャツの装着時または脱衣時に、開閉可能となる左前身頃２、および右前身頃２′の前部合わせ部８Ａ,８′Ａに、図１，図６において、メッシュ材７が、左前身頃２における前部合わせ部８Ａの先端部に内包される芯地材１８の裏面に設けられた間隙Ｐ１内に、差し込まれた状態で縫着されるのと、また、メッシュ材７は、前記右前身頃２′を先端側を折り返した部分の折り返し端Ｓ２と一緒に折り返されて縫着されるため、メッシュ材７は、その一方端および他方端が容易かつ確実に、シャツ本体１の裏面に縫着されることによりメッシュ材７を構造堅牢に取付けることができる。従って、シャツの着用時、または洗濯時に、シャツ本体１に対するメッシュ材７の移動量が小さく、形崩れがなく、保形性に優れ、構造も堅牢になる。
【００５０】
＜実施形態２＞
図８、および図９に示すものは、本考案のシャツの実施形態２である。この実施形態２では、シャツ本体１の左右の肩口に取付けられる袖が半袖６′,６′である点が異なる構成であり、そのほかは前記実施形態１と同様の構成、作用・効果である。
【産業上の利用可能性】
【００５１】
本考案は、シャツ本体の裏面に縫着されるメッシュ材をシャツ本体と一体に着込むことにより、着用時に違和感がなく着心地が良く着用が行え、また、フィット性に優れ、しかも、メッシュ材は吸湿性、速乾性、保温性に優れ、膚着として最適であり、そして、メッシュ材が着用時、または洗濯時に形崩れがなく、保形性に優れ、さらには、構造的にも堅牢になす用途・機能に適する。
【符号の説明】
【００５２】
１      シャツ本体
２      前身頃
２′    前身頃
３      後身頃
４      衿部
５      肩ヨーク
６      長袖
６′    半袖
７      メッシュ材
８Ａ    前部合わせ部
８′Ａ  前部合わせ部
９Ａ    釦
９Ｂ    釦孔
１０    係止具
１２    袖ぐり
【図１】
0003160181.tif 000003
【図２】
0003160181.tif 000004
【図３】
0003160181.tif 000005
【図４】
0003160181.tif 000006
【図５】
0003160181.tif 000007
【図６】
0003160181.tif 000008
【図７】
0003160181.tif 000009
【図８】
0003160181.tif 000010
【図９】
0003160181.tif 000011
【手続補正書】
【提出日】平成22年4月5日(2010.4.5)
【手続補正１】
【補正対象書類名】実用新案登録請求の範囲
【補正対象項目名】請求項１
【補正方法】変更
【補正の内容】
【請求項１】
後身頃、前記後身頃の左右に開閉可能に連設される左前身頃および右前身頃、首周りに設けられる衿部、前記衿部と前記後身頃との間に設けられる肩ヨーク、および前記肩ヨークの左右の肩口に取付けられる長袖または半袖、を有するシャツ本体と、前記シャツ本体の裏面を覆うメッシュ材と、により構成されるシャツにおいて、
(イ)前記メッシュ材が、前記左前身頃の一方端と、前記左前身頃の他方端および前記後身頃の一方端と、前記右前身頃の一方端および前記後身頃の他方端と、前記右前身頃の他方端と、にそれぞれ縫着され、
(ロ)前記メッシュ材が、前記左前身頃および前記右前身頃における肩部と、前記後身頃における上縁部と、前記肩ヨークにおける前外縁部および後外縁部とにそれぞれ縫着され、
(ハ)前記メッシュ材が、前記左前身頃の上縁部、前記肩ヨークの上縁部、前記右前身頃の上縁部および前記衿部とにそれぞれ縫着され、そして、
(ニ)前記メッシュ材が、前記長袖または前記半袖の袖ぐりに縫着されている
ことを特徴とするシャツ。
【手続補正２】
【補正対象書類名】明細書
【補正対象項目名】００３５
【補正方法】変更
【補正の内容】
【００３５】
前記メッシュ材７が、例えば図３に示すように、前記左前身頃２の他方端２Ｂと前記後身頃３の一方端３Ａ、並びに前記右前身頃２′の一方端２′Ａと前記後身頃３の他方端３Ｂとを外縁部７Ａ,７Ａで挟んだ状態でインターロック縫いされている。
【手続補正３】
【補正対象書類名】明細書
【補正対象項目名】００４６
【補正方法】変更
【補正の内容】
【００４６】
そして、図３に示すように、メッシュ材７が、前記左前身頃２の他方端２Ｂと前記後身頃３の一方端３Ａ、並びに前記右前身頃２′の一方端２′Ａと前記後身頃３の他方端３Ｂとを挟んだ状態でインターロック縫いされているので、シャツ本体１の左前身頃２および右前身頃２′、および後身頃３に対してシャツ本体１の裏面にメッシュ材７を一緒にインターロック縫いすることにより容易且生産効率良く縫着することができる。しかも、シャツ本体１の裏面にメッシュ材７を構造堅牢に取付けることができ、着用時、または洗濯時に、シャツ本体１に対するメッシュ材７の移動量が小さく、形崩れがなくなり、保形性に優れる。